(57)【要約】【課題】  第１レンズ群の高い位置精度を確保した上で撮影光学系に対する十分な光量の入射を確保すると共に小型化を図る。【解決手段】  カム環と１群保持枠は一方にカムフォロアが設けられ他方にカムフォロアが摺動自在に係合されるカム溝が形成され、カム環の光軸回り方向への回転によって光軸方向へ移動又は光軸回り方向へ回転され、バリア支持枠は１群保持枠の光軸方向への移動又は光軸回り方向への回転によって光軸方向へ移動され、撮影状態において１群保持枠が直進環に光軸回り方向へ回転不能かつ光軸方向へ移動自在に支持され、沈胴状態と撮影状態の間の一部の区間において１群保持枠が直進環に光軸回り方向へ回転自在に支持され、沈胴状態から撮影状態に至る過程において、１群保持枠が一部の区間においてカム環の回転によって直進環に対して光軸回り方向へ回転されることにより１群保持枠とバリア支持枠が光軸方向において接近するように相対的に移動される。【選択図】図２４
2014211532.tif 000002
【特許請求の範囲】
【請求項１】
光路長が最短にされた沈胴状態と前記沈胴状態より光路長が長くされた撮影状態との間で伸縮可能とされ、
撮影光学系の光軸方向へ移動可能とされたバリア支持枠と、
光軸方向に直交する方向において前記バリア支持枠に対して移動されて開閉されるバリア羽根と、
前記撮影光学系の一部を構成する第１レンズ群を保持する１群保持枠と、
光軸回り方向へ回転されるカム環と、
前記バリア支持枠を光軸回り方向へ回転不能かつ光軸方向へ移動可能に支持する直進環とを備え、
前記カム環と前記１群保持枠は一方にカムフォロアが設けられ他方に前記カムフォロアが摺動自在に係合されるカム溝が形成され、
前記１群保持枠は前記カム溝に対する前記カムフォロアの係合位置に応じて前記カム環の光軸回り方向への回転によって光軸方向へ移動又は光軸回り方向へ回転され、
前記バリア支持枠と前記１群保持枠は一方にカムピンが設けられ他方に前記カムピンが摺動自在に係合されるカム摺動溝が形成され、
前記バリア支持枠は前記カム摺動溝に対する前記カムピンの係合位置に応じて前記１群保持枠の光軸方向への移動又は光軸回り方向への回転によって光軸方向へ移動され、
前記撮影状態において前記１群保持枠が前記直進環に光軸回り方向へ回転不能かつ光軸方向へ移動自在に支持され、
前記沈胴状態と前記撮影状態の間の一部の区間において前記１群保持枠が前記直進環に光軸回り方向へ回転自在に支持され、
前記沈胴状態から前記撮影状態に至る過程において、前記１群保持枠が前記一部の区間において前記カム環の回転によって前記直進環に対して光軸回り方向へ回転されることにより前記１群保持枠と前記バリア支持枠が光軸方向において接近するように相対的に移動される
レンズ鏡筒。
【請求項２】
光軸回り方向へ回転されて前記バリア羽根を開閉させるバリア駆動リングが設けられ、
前記１群保持枠が前記バリア支持枠に対して光軸回り方向へ回転されて前記バリア駆動リングが前記１群保持枠に連結されて光軸回り方向へ回転される
請求項１に記載のレンズ鏡筒。
【請求項３】
前記沈胴状態において前記バリア羽根が閉塞されると共に前記第１レンズ群が前記バリア羽根より撮像面側に位置され、
前記撮影状態において前記バリア羽根が開放されて光入射孔が形成されると共に前記第１レンズ群の少なくとも一部が光入射孔に挿入される
請求項１に記載のレンズ鏡筒。
【請求項４】
前記１群保持枠にカム突部が設けられ、
前記直進環に前記カム突部が摺動自在に係合されるカム係合溝が形成され、
前記カム係合溝は光軸方向へ延びる第１の回転規制部と光軸回り方向へ延びる回転許容部と光軸方向へ延びる第２の回転規制部とが順に連続してクランク状に形成され、
前記一部の区間において前記カム突部が前記回転許容部に摺動される
請求項１に記載のレンズ鏡筒。
【請求項５】
内部に撮影光学系が配置されたレンズ鏡筒と前記撮影光学系を介して取り込まれた光学像を電気的信号に変換する撮像素子とを備え、
前記レンズ鏡筒は、
光路長が最短にされた沈胴状態と前記沈胴状態より光路長が長くされた撮影状態との間で伸縮可能とされ、
撮影光学系の光軸方向へ移動可能とされたバリア支持枠と、
光軸方向に直交する方向において前記バリア支持枠に対して移動されて開閉されるバリア羽根と、
前記撮影光学系の一部を構成する第１レンズ群を保持する１群保持枠と、
光軸回り方向へ回転されるカム環と、
前記バリア支持枠を光軸回り方向へ回転不能かつ光軸方向へ移動可能に支持する直進環とを備え、
前記カム環と前記１群保持枠は一方にカムフォロアが設けられ他方に前記カムフォロアが摺動自在に係合されるカム溝が形成され、
前記１群保持枠は前記カム溝に対する前記カムフォロアの係合位置に応じて前記カム環の光軸回り方向への回転によって光軸方向へ移動又は光軸回り方向へ回転され、
前記バリア支持枠と前記１群保持枠は一方にカムピンが設けられ他方に前記カムピンが摺動自在に係合されるカム摺動溝が形成され、
前記バリア支持枠は前記カム摺動溝に対する前記カムピンの係合位置に応じて前記１群保持枠の光軸方向への移動又は光軸回り方向への回転によって光軸方向へ移動され、
前記撮影状態において前記１群保持枠が前記直進環に光軸回り方向へ回転不能かつ光軸方向へ移動自在に支持され、
前記沈胴状態と前記撮影状態の間の一部の区間において前記１群保持枠が前記直進環に光軸回り方向へ回転自在に支持され、
前記沈胴状態から前記撮影状態に至る過程において、前記１群保持枠が前記一部の区間において前記カム環の回転によって前記直進環に対して光軸回り方向へ回転されることにより前記１群保持枠と前記バリア支持枠が光軸方向において接近するように相対的に移動される
撮像装置。
【発明の詳細な説明】
【技術分野】
【０００１】
本技術は光軸回り方向へ回転されるカム環とカム環の回転によって光軸方向へ移動される１群保持枠と光軸方向へ移動可能とされたバリア支持枠とを有するレンズ鏡筒及びこれを備えた撮像装置についての技術分野に関する。
【先行技術文献】
【特許文献】
【０００２】
【特許文献１】特開２００９−２６５５１７号公報
【背景技術】
【０００３】
ビデオカメラやスチルカメラ等の各種の撮像装置には、内部にレンズ群等の各種の光学部品や光学素子等の撮影光学系が配置されたレンズ鏡筒が伸縮自在に設けられ、レンズ鏡筒が非撮影時に装置本体に収納され撮影時に装置本体から繰り出されてズーム倍率の変更等を行うことが可能な所謂沈胴タイプがある。沈胴タイプの撮像装置にあっては、カム環の回転によってレンズ群が光軸方向へ移動されてレンズ鏡筒が伸縮される。
【０００４】
このような撮像装置にあっては、沈胴タイプのレンズ鏡筒が設けられていることにより、非撮影時における小型化（薄型化）と撮影時における良好な光学性能の確保との両立を図ることが可能になる。
【０００５】
一方、撮像装置にはレンズ鏡筒における物体側の端部にバリア羽根を有するバリア機構が設けられているものがある。バリア羽根はレンズ鏡筒の伸縮に伴って開閉され、非撮影時に閉塞され撮影時に開放される。バリア羽根が開放されると、バリア羽根の内側に光を入射するための光入射孔が形成される。非撮影時にはバリア羽根が閉塞されることによりレンズ鏡筒の内部への塵埃の侵入が防止され、撮影時には最も物体側に配置された第１レンズ群に取り込まれる光がバリア羽根によって制御され撮影光学系に適正な光量が入射される。
【０００６】
このようなバリア機構を有する撮像装置においては、開閉されるバリア羽根と第１レンズ群の干渉を回避するためにバリア羽根と第１レンズ群の間に光軸方向において一定の距離を必要とするが、光が光軸に対して斜め方向からも入射されるため、バリア羽根と第１レンズ群の距離が離れていると第１レンズ群に対して十分な光量が入射されなくなるおそれがある。
【０００７】
従って、第１レンズ群に対して十分な光量を入射させるためには、バリア羽根が開放されたときの光入射孔の大きさを大きくする必要があるが、光入射孔の大きさを大きくするとバリア機構が径方向において大きくなりレンズ鏡筒の小型化が阻害されてしまう。
【０００８】
そこで、第１レンズ群に対する十分な光量の入射を確保した上でバリア機構の径方向における小型化によるレンズ鏡筒の小型化を図るために、撮影時に第１レンズ群がバリア羽根に接近する方向へ移動され、非撮影時に第１レンズ群がバリア羽根から離隔する方向へ移動されるように構成されたものがある（例えば、特許文献１参照）。このような構成にすることにより、撮影時に第１レンズ群が光透過孔に接近して位置されるため、光透過孔の大きさを小さくすることが可能になり、非撮影時におけるバリア羽根と第１レンズ群の干渉を回避した上でレンズ鏡筒の小型化を図ることができると共に撮影時における十分な光量の入射を確保することができる。
【０００９】
特許文献１に記載された撮像装置にあっては、１群保持枠に第１レンズ群が光軸方向へ移動自在に支持され、カム環の回転によって撮影時に第１レンズ群が１群保持枠に対してバリア羽根に接近する方向へ移動され、非撮影時に第１レンズ群が１群保持枠に対してバリア羽根から離隔する方向へ移動される。
【発明の概要】
【発明が解決しようとする課題】
【００１０】
ところが、撮影時に第１レンズ群が１群保持枠に対して光軸方向へ移動される構成においては、回転されるカム環に１群保持枠が移動自在に支持されると共に第１レンズ群が１群保持枠に移動自在に支持されている。
【００１１】
従って、第１レンズ群の１群保持枠に関与する移動構造が多く、その分、レンズ鏡筒の全体に対する第１レンズ群の位置精度が低下し易く、レンズ鏡筒の光学性能の低下を来すおそれがある。
【００１２】
そこで、本技術レンズ鏡筒及び撮像装置は、上記した問題点を克服し、第１レンズ群の高い位置精度を確保した上で撮影光学系に対する十分な光量の入射を確保すると共に小型化を図ることを課題とする。
【課題を解決するための手段】
【００１３】
第１に、本技術に係るレンズ鏡筒は、光路長が最短にされた沈胴状態と前記沈胴状態より光路長が長くされた撮影状態との間で伸縮可能とされ、撮影光学系の光軸方向へ移動可能とされたバリア支持枠と、光軸方向に直交する方向において前記バリア支持枠に対して移動されて開閉されるバリア羽根と、前記撮影光学系の一部を構成する第１レンズ群を保持する１群保持枠と、光軸回り方向へ回転されるカム環と、前記バリア支持枠を光軸回り方向へ回転不能かつ光軸方向へ移動可能に支持する直進環とを備え、前記カム環と前記１群保持枠は一方にカムフォロアが設けられ他方に前記カムフォロアが摺動自在に係合されるカム溝が形成され、前記１群保持枠は前記カム溝に対する前記カムフォロアの係合位置に応じて前記カム環の光軸回り方向への回転によって光軸方向へ移動又は光軸回り方向へ回転され、前記バリア支持枠と前記１群保持枠は一方にカムピンが設けられ他方に前記カムピンが摺動自在に係合されるカム摺動溝が形成され、前記バリア支持枠は前記カム摺動溝に対する前記カムピンの係合位置に応じて前記１群保持枠の光軸方向への移動又は光軸回り方向への回転によって光軸方向へ移動され、前記撮影状態において前記１群保持枠が前記直進環に光軸回り方向へ回転不能かつ光軸方向へ移動自在に支持され、前記沈胴状態と前記撮影状態の間の一部の区間において前記１群保持枠が前記直進環に光軸回り方向へ回転自在に支持され、前記沈胴状態から前記撮影状態に至る過程において、前記１群保持枠が前記一部の区間において前記カム環の回転によって前記直進環に対して光軸回り方向へ回転されることにより前記１群保持枠と前記バリア支持枠が光軸方向において接近するように相対的に移動されるものである。
【００１４】
これにより、沈胴状態から撮影状態に至る一部の区間において、第１レンズ群を保持する１群保持枠とバリア支持枠が光軸方向において接近するように相対的に移動される。
【００１５】
第２に、上記したレンズ鏡筒においては、光軸回り方向へ回転されて前記バリア羽根を開閉させるバリア駆動リングが設けられ、前記１群保持枠が前記バリア支持枠に対して光軸回り方向へ回転されて前記バリア駆動リングが前記１群保持枠に連結されて光軸回り方向へ回転されることが望ましい。
【００１６】
これにより、バリア駆動リングが、その近傍に位置された１群保持枠に連結されて回転されバリア羽根が動作される。
【００１７】
第３に、上記したレンズ鏡筒においては、前記沈胴状態において前記バリア羽根が閉塞されると共に前記第１レンズ群が前記バリア羽根より撮像面側に位置され、前記撮影状態において前記バリア羽根が開放されて光入射孔が形成されると共に前記第１レンズ群の少なくとも一部が光入射孔に挿入されることが望ましい。
【００１８】
これにより、第１レンズ群に対する光線の入射効率が高くなる。
【００１９】
第４に、上記したレンズ鏡筒においては、前記１群保持枠にカム突部が設けられ、前記直進環に前記カム突部が摺動自在に係合されるカム係合溝が形成され、前記カム係合溝は光軸方向へ延びる第１の回転規制部と光軸回り方向へ延びる回転許容部と光軸方向へ延びる第２の回転規制部とが順に連続してクランク状に形成され、前記一部の区間において前記カム突部が前記回転許容部に摺動されることが望ましい。
【００２０】
これにより、カム突部が第１の回転規制部又は第２の回転規制部に摺動されるときに１群保持枠が光軸方向へ移動され、カム突部が回転許容部に摺動されるときに１群保持枠が光軸回り方向へ回転される。
【００２１】
本技術に係る撮像装置は、内部に撮影光学系が配置されたレンズ鏡筒と前記撮影光学系を介して取り込まれた光学像を電気的信号に変換する撮像素子とを備え、前記レンズ鏡筒は、光路長が最短にされた沈胴状態と前記沈胴状態より光路長が長くされた撮影状態との間で伸縮可能とされ、撮影光学系の光軸方向へ移動可能とされたバリア支持枠と、光軸方向に直交する方向において前記バリア支持枠に対して移動されて開閉されるバリア羽根と、前記撮影光学系の一部を構成する第１レンズ群を保持する１群保持枠と、光軸回り方向へ回転されるカム環と、前記バリア支持枠を光軸回り方向へ回転不能かつ光軸方向へ移動可能に支持する直進環とを備え、前記カム環と前記１群保持枠は一方にカムフォロアが設けられ他方に前記カムフォロアが摺動自在に係合されるカム溝が形成され、前記１群保持枠は前記カム溝に対する前記カムフォロアの係合位置に応じて前記カム環の光軸回り方向への回転によって光軸方向へ移動又は光軸回り方向へ回転され、前記バリア支持枠と前記１群保持枠は一方にカムピンが設けられ他方に前記カムピンが摺動自在に係合されるカム摺動溝が形成され、前記バリア支持枠は前記カム摺動溝に対する前記カムピンの係合位置に応じて前記１群保持枠の光軸方向への移動又は光軸回り方向への回転によって光軸方向へ移動され、前記撮影状態において前記１群保持枠が前記直進環に光軸回り方向へ回転不能かつ光軸方向へ移動自在に支持され、前記沈胴状態と前記撮影状態の間の一部の区間において前記１群保持枠が前記直進環に光軸回り方向へ回転自在に支持され、前記沈胴状態から前記撮影状態に至る過程において、前記１群保持枠が前記一部の区間において前記カム環の回転によって前記直進環に対して光軸回り方向へ回転されることにより前記１群保持枠と前記バリア支持枠が光軸方向において接近するように相対的に移動されるものである。
【００２２】
これにより、沈胴状態から撮影状態に至る一部の区間において、第１レンズ群を保持する１群保持枠とバリア支持枠が光軸方向において接近するように相対的に移動される。
【発明の効果】
【００２３】
本技術によれば、沈胴状態から撮影状態に至る過程において、第１レンズ群を保持する１群保持枠とバリア支持枠が光軸方向において接近するように相対的に移動されるため、第１レンズ群の高い位置精度を確保した上で撮影光学系に対する十分な光量の入射を確保することができると共に小型化を図ることができる。
【図面の簡単な説明】
【００２４】
【図１】図２乃至図２８と共に本技術の実施の形態を示すものであり、本図は、レンズ鏡筒が沈胴状態にされている状態で示す撮像装置の斜視図である。
【図２】レンズ鏡筒が撮影状態にされている状態で示す撮像装置の斜視図である。
【図３】撮像装置を図１とは反対側から見た状態で示す斜視図である。
【図４】レンズ鏡筒の分解斜視図である。
【図５】図６及び図７と共にレンズ鏡筒の各状態を示すものであり、本図は、沈胴状態を示す拡大斜視図である。
【図６】撮影状態における広角端の状態を示す拡大斜視図である。
【図７】撮影状態における望遠端の状態を示す拡大斜視図である。
【図８】第１レンズ群が１群保持枠に保持されている状態を示す拡大斜視図である。
【図９】第１レンズ群とレンズ保持枠と１群保持枠を示す拡大分解斜視図である。
【図１０】１群保持枠の拡大斜視図である。
【図１１】バリア機構を示す拡大分解斜視図である。
【図１２】バリア機構を図１１とは反対側から見た状態で示す拡大斜視図である。
【図１３】バリアカバー等を示す拡大斜視図である。
【図１４】沈胴状態における各部の位置関係を概念的に示す断面図である。
【図１５】撮影状態の広角端における各部の位置関係を概念的に示す断面図である。
【図１６】撮影状態の望遠端における各部の位置関係を概念的に示す断面図である。
【図１７】図１８乃至図２６と共に開閉羽根ユニットの開閉時における各部の動作を示すものであり、本図は、開閉羽根ユニットが開放される前の各部の状態を示す模式図である。
【図１８】図１７に引き続く状態を示す模式図である。
【図１９】図１８に引き続く状態を示す模式図である。
【図２０】図１９に引き続く状態を示す模式図である。
【図２１】図２０に引き続く状態を示す模式図である。
【図２２】図２１に引き続く状態を示す模式図である。
【図２３】図２２に引き続く状態を示す模式図である。
【図２４】図２３に引き続く状態を示す模式図である。
【図２５】図２４に引き続く状態を示す模式図である。
【図２６】図２５に引き続く状態を示す模式図である。
【図２７】直進環におけるカム係合溝の変形例を示す模式図である。
【図２８】撮像装置のブロック図である。
【発明を実施するための形態】
【００２５】
以下に、本技術を実施するための形態を添付図面を参照して説明する。
【００２６】
以下に示す実施の形態は、本技術撮像装置をスチルカメラに適用し、本技術レンズ鏡筒をこのスチルカメラに設けられたレンズ鏡筒に適用したものである。
【００２７】
尚、本技術の適用範囲はスチルカメラ及びスチルカメラに設けられたレンズ鏡筒に限られることはなく、例えば、ビデオカメラや他の機器に組み込まれる各種の撮像装置及びこれらの撮像装置に設けられるレンズ鏡筒に広く適用することができる。
【００２８】
以下の説明にあっては、スチルカメラの撮影時において撮影者から見た方向で前後上下左右の方向を示すものとする。従って、被写体側が前方となり、撮影者側が後方となる。
【００２９】
尚、以下に示す前後上下左右の方向は説明の便宜上のものであり、本技術の実施に関しては、これらの方向に限定されることはない。
【００３０】
また、以下に示すレンズ群は、単数又は複数のレンズにより構成されたものの他、これらの単数又は複数のレンズと絞りやアイリス等の他の光学素子を含んでもよい。
【００３１】
［撮像装置の構成］
撮像装置１は、図１及び図２に示すように、装置本体２と装置本体２に前後方向（光軸方向）へ伸縮自在に支持されたレンズ鏡筒３とを備え、非撮影時等にレンズ鏡筒３が装置本体２に収納され（図１参照）、撮影時等にレンズ鏡筒３が装置本体２から前方へ突出される（図２参照）所謂沈胴タイプである。レンズ鏡筒３は装置本体２に収納される沈胴状態（図１参照）と装置本体２から前方へ突出される撮影状態（図２参照）との間で伸縮される。
【００３２】
撮像装置１は、レンズ鏡筒３が沈胴状態とされているときには被写体の撮影が不能とされ、レンズ鏡筒３が撮影状態とされているときには被写体の撮影が可能とされ、撮影状態は広角端（ワイド）から望遠端（テレ）までの領域とされている。
【００３３】
このような沈胴タイプの撮像装置１にあっては、非撮影時における小型化（薄型化）と撮影時における良好な光学性能の確保とを両立させることができる。
【００３４】
装置本体２は、例えば、横長の扁平な筐体４の内外に所要の各部が配置されて成る（図１乃至図３参照）。
【００３５】
装置本体２の前面にはフラッシュ５が設けられている。装置本体２の上面にはシャッター釦６、ズームスイッチ７及び電源釦８が設けられている。装置本体２の後面にはディスプレイ９と各種の操作部１０、１０、・・・が設けられている。
【００３６】
［レンズ鏡筒の構成］
以下に、レンズ鏡筒３の構成について説明する（図４乃至図１３参照）。
【００３７】
＜全体の概略構成＞
レンズ鏡筒３は、図４に示すように、後部鏡筒１１、フォーカス枠１２、固定環１３、回転環１４、直進カム環１５、直進環１６、バリア支持枠１７、１群保持枠１８、カム環１９、直進案内環２０、２群保持枠２１、３群保持枠２２、バリア駆動リング２３、第１のバリア羽根２４、２４、第２のバリア羽根２５、２５、第３のバリア羽根２６、２６及びバリアカバー２７を有している。
【００３８】
回転環１４は後端部を除く部分が外周側から略円筒状の第１の外筒２８によって覆われ、直進環１６は外周側から略円筒状の第２の外筒２９によって覆われ、バリア支持枠１７とバリアカバー２７はそれぞれ外周側と前側から第３の外筒３０によって覆われている（図５乃至図７参照）。第３の外筒３０はバリア支持枠１７を覆う円筒部３１と円筒部３１から内方へ張り出されバリアカバー２７を覆う前面部３２とから成る。前面部３２には略矩形の開口３２ａが形成されている。
【００３９】
レンズ鏡筒３は、沈胴状態において固定環１３の内部に他の各部が収納され（図５参照）、撮影状態において固定環１３の内部に収納されていた各部が前方へ突出される（図６及び図７参照）。レンズ鏡筒３は沈胴状態において光路長が最短にされ撮影状態において光路長が沈胴状態より長くされる。撮影状態において、望遠端は広角端より固定環１３の内部に収納されていた各部が大きく前方へ突出される。
【００４０】
＜後部鏡筒＞
後部鏡筒１１は、図４に示すように、略前後方向を向く円板状のベース面部３３とベース面部３３の外周部に連続して設けられたモーター取付部３４とベース面部３３から前方へ突出されたフォーカスガイド部３５とを有し、筐体４の内部に固定された状態で配置されている。
【００４１】
ベース面部３３の中央部には撮像素子３６が取り付けられている。ベース面部３３の外周部には前後に延びる伝達ギヤ３７が支持されている。ベース面部３３には前後に延びるガイド軸３８の後端部が取り付けられている。
【００４２】
モーター取付部３４には駆動モーター３９が取り付けられると共にギヤやウォーム等の駆動伝達部が支持されている。駆動モーター３９の駆動力は駆動伝達部を介して伝達ギヤ３７に伝達される。
【００４３】
＜フォーカス枠＞
フォーカス枠１２はレンズ保持部１２ａとレンズ保持部１２ａから光軸方向に直交する方向へ突出されたアーム部１２ｂとを有している。レンズ保持部１２ａにはフォーカスレンズ４０が保持されている。フォーカス枠１２はアーム部１２ｂがフォーカスガイド部３５とガイド軸３８によって案内されて図示しないフォーカス駆動部の駆動力によって光軸方向へ移動される。フォーカス枠１２に伴ってフォーカスレンズ４０が光軸方向へ移動されることによりフォーカシングが行われる。
【００４４】
＜固定環＞
固定環１３は略円筒状に形成されている。固定環１３の内周面には光軸回り方向へ行くに従って前後に変位するカム変位溝１３ａ、１３ａ、１３ａと前後に延びる直進案内溝１３ｂ、１３ｂ、１３ｂとがそれぞれ光軸回り方向に離隔して形成されている。固定環１３の内周面には光軸回り方向へ延びる移動規制溝１３ｃ、１３ｃ、１３ｃが形成され、移動規制溝１３ｃ、１３ｃ、１３ｃの一端部はそれぞれカム変位溝１３ａ、１３ａ、１３ａの一端部に連続されている。
【００４５】
固定環１３は後面が後部鏡筒１１のベース面部３３に取り付けられている。固定環１３が後部鏡筒１１に取り付けられた状態においては、伝達ギヤ３７が固定環１３の内部に位置される。固定環１３は筐体４の内部に固定された状態で配置されている。
【００４６】
＜回転環＞
回転環１４は固定環１３より一回り小さい略円筒状に形成され、回転環１４の後端寄りの位置には外方へ突出されたカム変位突部１４ａ、１４ａ、１４ａが光軸回り方向に離隔して設けられている。回転環１４の外周面における後端部には光軸回り方向に延びるラック部１４ｂが設けられている。回転環１４の内周面には前後に延びる直進ガイド溝１４ｃ、１４ｃ、１４ｃと後端部に設けられ光軸回り方向に延びる規制溝１４ｄと光軸回り方向へ行くに従って前後に変位するカムガイド溝１４ｅ、１４ｅ、・・・とが形成されている。
【００４７】
回転環１４のカム変位突部１４ａ、１４ａ、１４ａはそれぞれ固定環１３のカム変位溝１３ａ、１３ａ、１３ａ又は移動規制溝１３ｃ、１３ｃ、１３ｃに摺動自在に係合されている。
【００４８】
回転環１４はラック部１４ｂが固定環１３に支持された伝達ギヤ３７に噛合され、駆動モーター３９の駆動力が駆動伝達部及び伝達ギヤ３７を介してラック部１４ｂに伝達されて固定環１３に対して光軸回り方向へ回転される。回転環１４が光軸回り方向へ回転されると、カム変位突部１４ａ、１４ａ、１４ａがそれぞれカム変位溝１３ａ、１３ａ、１３ａに摺動されて回転環１４が光軸方向へ移動される。また、回転環１４はカム変位突部１４ａ、１４ａ、１４ａがそれぞれ移動規制溝１３ｃ、１３ｃ、１３ｃに摺動されるときには、固定環１３に対して光軸方向への移動が規制される。
【００４９】
＜直進カム環＞
直進カム環１５は回転環１４より一回り小さい略円筒状に形成され、直進カム環１５の後端部には外方へ突出された被案内突部１５ａ、１５ａ、１５ａが光軸回り方向に離隔して設けられている。直進カム環１５の外周面における後端寄りの位置には光軸回り方向に延びる被規制突部１５ｂ、１５ｂ、・・・が光軸回り方向に離隔して設けられている。
【００５０】
直進カム環１５には光軸回り方向へ行くに従って前後に変位するカム摺動挿通孔１５ｃ、１５ｃ、１５ｃが光軸回り方向に離隔して形成されている。直進カム環１５の内周面には前後に延びる直進誘導溝１５ｄ、１５ｄ、１５ｄと直進案内溝１５ｅ、１５ｅ、１５ｅとがそれぞれ光軸回り方向に離隔して交互に形成されている。直進カム環１５の略後半部には前後に延びる直進ガイド孔１５ｆ、１５ｆ、１５ｆが光軸回り方向に離隔して形成されている。
【００５１】
直進カム環１５の被案内突部１５ａ、１５ａ、１５ａはそれぞれ固定環１３の直進案内溝１３ｂ、１３ｂ、１３ｂに摺動自在に係合されている。直進カム環１５の被規制突部１５ｂ、１５ｂ、・・・はそれぞれ回転環１４の規制溝１４ｄに摺動自在に係合されている。
【００５２】
従って、直進カム環１５は被規制突部１５ｂ、１５ｂ、・・・が規制溝１４ｄに係合されることにより回転環１４に対する前後方向への移動が規制され、回転環１４の回転によって被案内突部１５ａ、１５ａ、１５ａがそれぞれ直進案内溝１３ｂ、１３ｂ、１３ｂに案内されて回転環１４と一体になって固定環１３に対して光軸方向へ移動される。
【００５３】
＜直進環＞
直進環１６は直進カム環１５より一回り小さい略円筒状に形成されている。直進環１６の後端部には外方へ突出された被誘導突部１６ａ、１６ａ、１６ａが光軸回り方向に離隔して設けられている。
【００５４】
直進環１６には前後方向に延びる案内溝１６ｂ、１６ｂ、１６ｂとクランク状に形成されたカム係合溝４１、４１、４１とがそれぞれ光軸回り方向に離隔して交互に形成されている。カム係合溝４１は、直進環１６の後端部に位置され光軸方向へ延びる第１の回転規制部４１ａと、第１の回転規制部４１ａの前端部に連続され光軸回り方向へ延びる回転許容部４１ｂと、回転許容部４１ｂの一端部に連続され光軸方向において直進環１６の前端寄りの位置まで延びる第２の回転規制部４１ｃとから成る。
【００５５】
直進環１６の内周面における後端部には光軸回り方向に延びる移動規制溝１６ｃが形成されている。
【００５６】
直進環１６の被誘導突部１６ａ、１６ａ、１６ａはそれぞれ直進カム環１５の摺動規制溝１５ｄ、１５ｄ、１５ｄに摺動自在に係合されている。
【００５７】
＜バリア支持枠＞
バリア支持枠１７は直進環１６より一回り小さい略円筒状に形成されている。バリア支持枠１７の後端部には外方へ突出された被案内突部１７ａ、１７ａ、１７ａが光軸回り方向に離隔して設けられている。バリア支持枠１７の内周面における前端寄りの位置には内方へ突出されたカムピン１７ｂ、１７ｂ、１７ｂが光軸回り方向に離隔して設けられている。バリア支持枠１７の前端部には係合突部１７ｃ、１７ｃ、・・・が光軸回り方向に離隔して設けられている。
【００５８】
バリア支持枠１７の被案内突部１７ａ、１７ａ、１７ａはそれぞれ直進環１６の案内溝１６ｂ、１６ｂ、１６ｂに摺動自在に係合されている。
【００５９】
＜１群保持枠＞
１群保持枠１８はバリア支持枠１７より一回り小さい略円環状に形成されている。１群保持枠１８の後端部には外方へ突出されたカム突部１８ａ、１８ａ、１８ａが光軸回り方向に離隔して設けられている。１群保持枠１８の前端部には光軸回り方向において１８０°離隔した位置に前方及び外方に開口された一対の連結用凹部が形成され、一対の連結用凹部における光軸回り方向を向く各一方の面がそれぞれ連結面１８ｂ、１８ｂとして形成されている（図８及び図９参照）。
【００６０】
１群保持枠１８の外周面には光軸回り方向へ行くに従って前後に変位するカム摺動溝４２、４２、４２が形成されている。カム摺動溝４２は、光軸回り方向に延びる前側直線部４２ａと、前側直線部４２ａの一端部に連続され光軸回り方向へ行くに従って後方へ変位する傾斜部４２ｂと、傾斜部４２ｂの後端部に連続され光軸回り方向へ延びる後側直線部４２ｃとを有している。
【００６１】
１群保持枠１８の内周面には光軸回り方向へ行くに従って前後に変位するカム溝４３、４３、４３が形成されている（図９及び図１０参照）。カム溝４３は、光軸回り方向に延びる第１の水平部４３ａと、第１の水平部４３ａの一端部に連続され光軸回り方向へ行くに従って後方へ変位する第１の斜行部４３ｂと、第１の斜行部４３ｂの後端部に連続され光軸回り方向へ延びる第２の水平部４３ｃと、第２の水平部４３ｃの一端部に連続され光軸回り方向へ行くに従って後方へ変位する第２の斜行部４３ｄと、第２の斜行部４３ｄの後端部に連続され光軸回り方向へ延びる第３の水平部４３ｅとを有している。
【００６２】
１群保持枠１８の前面にはレンズ保持枠４４が、例えば、ネジ止めによって取り付けられている。レンズ保持枠４４は略円環状に形成され、レンズ保持枠４４には第１レンズ群４５が保持されている。
【００６３】
１群保持枠１８のカム突部１８ａ、１８ａ、１８ａはそれぞれ直進環１６のカム係合溝４１、４１、４１に摺動自在に係合されている。１群保持枠１８のカム摺動溝４２、４２、４２にはそれぞれバリア支持枠１７のカムピン１７ｂ、１７ｂ、１７ｂが摺動自在に係合されている。
【００６４】
従って、１群保持枠１８はカム突部１８ａ、１８ａ、１８ａがそれぞれカム係合溝４１、４１、４１の第１の回転規制部４１ａ、４１ａ、４１ａ又は第２の回転規制部４１ｃ、４１ｃ、４１ｃに係合されているときには、レンズ保持枠４４及び第１レンズ群４５と一体になって直進環１６に対して光軸方向へ移動可能とされる。また、１群保持枠１８はカム突部１８ａ、１８ａ、１８ａがそれぞれカム係合溝４１、４１、４１の回転許容部４１ｂ、４１ｂ、４１ｂに係合されているときには、レンズ保持枠４４及び第１レンズ群４５と一体になって直進環１６に対して光軸回り方向へ回転可能とされる。
【００６５】
１群保持枠１８のカム摺動溝４２、４２、４２にはそれぞれバリア支持枠１７のカムピン１７ｂ、１７ｂ、１７ｂが摺動自在に係合されている。
【００６６】
従って、バリア支持枠１７は１群保持枠１８の回転によってカムピン１７ｂ、１７ｂ、１７ｂがそれぞれカム摺動溝４２、４２、４２に摺動され、被案内突部１７ａ、１７ａ、１７ａがそれぞれ直進環１６の案内溝１６ｂ、１６ｂ、１６ｂに案内されて１群保持枠１８及び直進環１６に対して光軸方向へ移動される。
【００６７】
１群保持枠１８のカム溝４３、４３、４３はそれぞれカム環１９のカムフォロア１９ｃ、１９ｃ、１９ｃに摺動自在に係合されている。
【００６８】
従って、１群保持枠１８はカム環９の回転によってカム溝４３、４３、４３がそれぞれカムフォロア１９ｃ、１９ｃ、１９ｃに摺動され、カム突部１８ａ、１８ａ、１８ａがそれぞれカム係合溝４１、４１、４１に案内されて直進環１６に対して光軸方向へ移動され又は直進環１６に対して光軸回り方向へ回転される。
【００６９】
＜カム環＞
カム環１９は直進環１６より一回り小さい略円筒状に形成された挿入部４６と挿入部４６の後端部から外方へ張り出された突状部４７とが一体に形成されて成る（図４参照）。
【００７０】
カム環１９には突状部４７に外方へ突出されたカム摺動突部１９ａ、１９ａ、１９ａと被規制片部１９ｂ、１９ｂ、・・・とがそれぞれ光軸回り方向に離隔して設けられている。カム摺動突部１９ａ、１９ａ、１９ａはそれぞれ被規制片部１９ｂ、１９ｂ、・・・の後側に位置され、被規制片部１９ｂ、１９ｂ、・・・より外方への突出量が大きくされている。
【００７１】
カム環１９には挿入部４６の前端部に外方へ突出されたカムフォロア１９ｃ、１９ｃ、１９ｃが光軸回り方向に離隔して設けられている。
【００７２】
カム環１９の内周面には、光軸回り方向へ行くに従って前後に変位するカム作動溝１９ｄ、１９ｄ、１９ｄと光軸回り方向へ行くに従って前後に変位するカム動作溝１９ｅ、１９ｅ、１９ｅとが形成されている。
【００７３】
カム環１９のカム摺動突部１９ａ、１９ａ、１９ａはそれぞれ直進カム環１５のカム摺動挿通孔１５ｃ、１５ｃ、１５ｃに摺動自在に係合されると共にカム摺動挿通孔１５ｃ、１５ｃ、１５ｃを挿通されて回転環１４の直進ガイド溝１４ｃ、１４ｃ、１４ｃに摺動自在に係合されている。
【００７４】
従って、カム環１９は回転環１４と一体になって光軸回り方向へ回転されると共にカム摺動突部１９ａ、１９ａ、１９ａがそれぞれカム摺動挿通孔１５ｃ、１５ｃ、１５ｃに摺動され直進ガイド溝１４ｃ、１４ｃ、１４ｃに案内されて回転環１４及び直進カム環１５に対して光軸方向へ移動される。即ち、カム環１９は光軸回り方向へ回転しながら光軸方向へ移動される。
【００７５】
また、カム環１９の被規制片部１９ｂ、１９ｂ、・・・はそれぞれ直進環１６の移動規制溝１６ｃに摺動自在に係合されている。
【００７６】
従って、カム環１９が回転されたときに、直進環１６は被誘導突部１６ａ、１６ａ、１６ａがそれぞれ直進カム環１５の摺動規制溝１５ｄ、１５ｄ、１５ｄに案内されてカム環１９と一体になって直進カム環１５に対して光軸方向へ移動される。
【００７７】
＜直進案内環＞
直進案内環２０はカム環１９より一回り小さい略円筒状に形成されている。直進案内環２０の前端部には外方へ突出されたガイド突部２０ａ、２０ａ、２０ａが光軸回り方向に離隔して設けられている。直進案内環２０の後端部には外方へ突出された摺動被規制突部２０ｂ、２０ｂ、２０ｂが光軸回り方向に離隔して設けられている。
【００７８】
直進案内環２０には前後方向に延びる第１の案内孔２０ｃ、２０ｃ、２０ｃと前後方向に延びる第２の案内孔２０ｄ、２０ｄ、２０ｄとがそれぞれ光軸回り方向に離隔して交互に形成されている。
【００７９】
直進案内環２０のガイド突部２０ａ、２０ａ、２０ａはそれぞれカム環１９のカム作動溝１９ｄ、１９ｄ、１９ｄに摺動自在に係合されている。直進案内環２０の摺動被規制突部２０ｂ、２０ｂ、２０ｂはそれぞれ直進カム環１５の直進案内溝１５ｅ、１５ｅ、１５ｅに摺動自在に係合されている。
【００８０】
従って、直進案内環２０はカム環１９の光軸回り方向への回転によりガイド突部２０ａ、２０ａ、２０ａがそれぞれカム作動溝１９ｄ、１９ｄ、１９ｄに摺動され摺動被規制突部２０ｂ、２０ｂ、２０ｂがそれぞれ直進案内溝１５ｅ、１５ｅ、１５ｅに案内されてカム環１９及び直進カム環１５に対して光軸方向へ移動される。
【００８１】
＜２群保持枠＞
２群保持枠２１は直進案内環２０と略同じ大きさの略円板状に形成された保持板部４８と保持板部４８の外周部からそれぞれ後方へ突出され光軸回り方向に離隔して設けられた摺動アーム部４９、４９、４９とを有している。
【００８２】
２群保持枠２１には摺動アーム部４９、４９、４９の前端部にそれぞれ外方へ突出されたカム作用突部２１ａ、２１ａ、２１ａが設けられている。
【００８３】
保持板部４８には第２レンズ群５０が保持されている。
【００８４】
２群保持枠２１のカム作用突部２１ａ、２１ａ、２１ａはそれぞれカム環１９のカム動作溝１９ｅ、１９ｅ、１９ｅに摺動自在に係合されている。２群保持枠２１の摺動アーム部４９、４９、４９はそれぞれ直進案内環２０の第１の案内孔２０ｃ、２０ｃ、２０ｃに摺動自在に係合されている。
【００８５】
従って、２群保持枠２１はカム環１９の回転によってカム作用突部２１ａ、２１ａ、２１ａがそれぞれカム動作溝１９ｅ、１９ｅ、１９ｅに摺動され摺動アーム部４９、４９、４９がそれぞれ第１の案内孔２０ｃ、２０ｃ、２０ｃに案内されてカム環１９及び直進案内環２０に対して光軸方向へ移動される。
【００８６】
＜３群保持枠＞
３群保持枠２２は直進案内環２０より一回り小さい略円筒状に形成された保持筒部５１と保持筒部５１の後端部から外方へ張り出されたフランジ部５２とフランジ部５２の外周部からそれぞれ前方へ突出された被ガイド片部５３、５３、５３とを有している。
【００８７】
保持筒部５１の内部にはブレ補正機構５４が設けられ、ブレ補正機構５４の前面側に第３レンズ群５５が保持されている。ブレ補正機構５４によって撮影時に発生する手ぶれに応じて第３レンズ群５５が光軸に直交する方向へ変位されブレ補正が行われる。
【００８８】
３群保持枠２２には被ガイド片部５３、５３、５３に外方へ突出されたそれぞれ二つずつのカム駆動突部２２ａ、２２ａ、・・・が設けられている。
【００８９】
３群保持枠２２には保持筒部５１の外周面に前後に延びる案内突部２２ｂ、２２ｂ、２２ｂが光軸回り方向に離隔して設けられている。
【００９０】
３群保持枠２２のカム駆動突部２２ａ、２２ａ、・・・はそれぞれ回転環１４のカムガイド溝１４ｅ、１４ｅ、・・・に摺動自在に係合されている。３群保持枠２２の案内突部２２ｂ、２２ｂ、２２ｂはそれぞれ直進案内環２０の第２の案内孔２０ｄ、２０ｄ、２０ｄに摺動自在に係合されている。
【００９１】
３群保持枠２２の被ガイド片部５３、５３、５３はそれぞれ直進カム環１５の直進ガイド孔１５ｆ、１５ｆ、１５ｆに摺動自在に係合されている。
【００９２】
従って、３群保持枠２２はカム環１９の回転によってカム駆動突部２２ａ、２２ａ、・・・がそれぞれカムガイド溝１４ｅ、１４ｅ、・・・に摺動されると共に被ガイド片部５３、５３、５３がそれぞれ第２の案内孔２０ｄ、２０ｄ、２０ｄと直進ガイド孔１５ｆ、１５ｆ、１５ｆに案内されて回転環１４、直進カム環１５及び直進案内環２０に対して光軸方向へ移動される。
【００９３】
＜バリア駆動リング＞
バリア駆動リング２３は略円環状に形成されている（図４、図１１、図１２及び図１３参照）。バリア駆動リング２３には光軸回り方向において１８０°離隔した位置に第１のバネ掛け部２３ａ、２３ａが設けられている。バリア駆動リング２３には光軸回り方向において１８０°離隔した位置に第２のバネ掛け部２３ｂ、２３ｂが設けられ、第２のバネ掛け部２３ｂ、２３ｂはそれぞれ第１のバネ掛け部２３ａ、２３ａと光軸回り方向において９０°離隔して位置されている。
【００９４】
バリア駆動リング２３には光軸回り方向において１８０°離隔した位置にそれぞれ後方へ突出された被押圧突部２３ｃ、２３ｃが設けられている。
【００９５】
バリア駆動リング２３には光軸回り方向において１８０°離隔した位置に全体として階段状に形成された第１のカム突部２３ｄ、２３ｄと第２のカム突部２３ｅ、２３ｅと第３のカム突部２３ｆ、２３ｆが設けられている。
【００９６】
＜バリア羽根＞
第１のバリア羽根２４、２４は閉塞された状態において最も内側に位置され、第３のバリア羽根２６、２６は閉塞された状態において最も外側に位置され、第２のバリア羽根２５、２５は閉塞された状態においてそれぞれ第１のバリア羽根２４、２４と第３のバリア羽根２６、２６の間に位置される。第１のバリア羽根２４、２４と第２のバリア羽根２５、２５と第３のバリア羽根２６、２６はそれぞれ開放された状態において重なり合う状態とされる。
【００９７】
第１のバリア羽根２４、２４と第２のバリア羽根２５、２５と第３のバリア羽根２６、２６によってそれぞれ開閉羽根ユニット５６、５６が構成されている。
【００９８】
第１のバリア羽根２４、２４の一端部にはそれぞれ被支持孔２４ａ、２４ａが形成され、第２のバリア羽根２５、２５の一端部にはそれぞれ被支持孔２５ａ、２５ａが形成され、第３のバリア羽根２６、２６の一端部にはそれぞれ被支持孔２６ａ、２６ａが形成されている。
【００９９】
第１のバリア羽根２４、２４の一端部にはそれぞれバネ支持部２４ｂ、２４ｂが設けられている。第２のバリア羽根２５、２５の外周縁にはそれぞれ被押圧片２５ｂ、２５ｂが設けられ、第３のバリア羽根２６、２６の外周縁にはそれぞれ被押圧片２６ｂ、２６ｂが設けられている。
【０１００】
＜バリアカバー＞
バリアカバー２７は外形が略円形状に形成され、略矩形の光透過孔２７ａを有している。光透過孔２７ａの周面は前方へ行くに従って外方へ変位するように傾斜されている。
【０１０１】
バリアカバー２７の外周部には後方へ突出された結合用突部２７ｂ、２７ｂ、・・・が光軸回り方向に離隔して設けられている。バリアカバー２７の外周部には後方へ突出された略Ｌ字状のリング支持部２７ｃ、２７ｃ、・・・が光軸回り方向に離隔して設けられている。バリアカバー２７には光透過孔２７ａを挟んだ反対側の位置に後方へ突出された支持軸部２７ｄ、２７ｄが設けられている。バリアカバー２７の外周部には光軸回り方向において１８０°離隔した位置にバネ支持突部２７ｅ、２７ｅが設けられている。
【０１０２】
バリアカバー２７の支持軸部２７ｄ、２７ｄは、順にそれぞれ第３のバリア羽根２６、２６の被支持孔２６ａ、２６ａと第２のバリア羽根２５、２５の被支持孔２５ａ、２５ａと第１のバリア羽根２４、２４の被支持孔２４ａ、２４ａとに挿入される。従って、バリアカバー２７にはそれぞれ支持軸部２７ｄ、２７ｄを支点として第１のバリア羽根２４、２４と第２のバリア羽根２５、２５と第３のバリア羽根２６、２６が回動自在に支持される。
【０１０３】
バリアカバー２７に第１のバリア羽根２４、２４と第２のバリア羽根２５、２５と第３のバリア羽根２６、２６が支持された状態において、バリアカバー２７のリング支持部２７ｃ、２７ｃ、・・・にバリア駆動リング２３が前後方向へ移動不能かつ光軸回り方向へ回転可能に支持される。
【０１０４】
バリアカバー２７に第１のバリア羽根２４、２４と第２のバリア羽根２５、２５と第３のバリア羽根２６、２６とバリア駆動リング２３が支持された状態において、第１のバリア羽根２４、２４のバネ支持部２４ｂ、２４ｂとバリア駆動リング２３の第２のバネ掛け部２３ｂ、２３ｂとの間にそれぞれ付勢バネ５７、５７が支持される。付勢バネ５７、５７によって第１のバリア羽根２４、２４が閉塞される方向へ付勢される。
【０１０５】
また、バリア駆動リング２３の第１のバネ掛け部２３ａ、２３ａとバリアカバー２７のバネ支持突部２７ｅ、２７ｅとの間にはそれぞれバネ部材５８、５８が支持される。バネ部材５８、５８によってバリアカバー２７に対してバリア駆動リング２３が回転方向において開閉羽根ユニット５６、５６を開放する方向へ付勢される。
【０１０６】
バリアカバー２７に第１のバリア羽根２４、２４と第２のバリア羽根２５、２５と第３のバリア羽根２６、２６とバリア駆動リング２３が支持された状態において、バリアカバー２７は結合用突部２７ｂ、２７ｂ、・・・がそれぞれバリア支持枠１７の前端部に設けられた係合突部１７ｃ、１７ｃ、・・・に係合されて結合される。
【０１０７】
バリア駆動リング２３と第１のバリア羽根２４、２４と第２のバリア羽根２５、２５と第３のバリア羽根２６、２６とバリアカバー２７と付勢バネ５７、５７とバネ部材５８、５８によってバリア機構５９が構成される。
【０１０８】
＜バリア機構の動作＞
バリア駆動リング２３は、開閉羽根ユニット５６、５６が閉塞された状態において、１群保持枠１８の連結面１８ｂ、１８ｂがそれぞれバリア駆動リング２３の被押圧突部２３ｃ、２３ｃに接して連結され被押圧突部２３ｃ、２３ｃがそれぞれ連結面１８ｂ、１８ｂによって光軸回り方向へ押圧されることによりバリアカバー２７に対して回転される。
【０１０９】
バリア駆動リング２３が回転されると、第１のバリア羽根２４、２４と第２のバリア羽根２５、２５と第３のバリア羽根２６、２６がそれぞれ第１のカム突部２３ｄ、２３ｄと第２のカム突部２３ｅ、２３ｅと第３のカム突部２３ｆ、２３ｆに押圧される。第１のバリア羽根２４、２４と第２のバリア羽根２５、２５と第３のバリア羽根２６、２６は、それぞれ第１のカム突部２３ｄ、２３ｄと第２のカム突部２３ｅ、２３ｅと第３のカム突部２３ｆ、２３ｆに押圧されることにより、バリアカバー２７の支持軸部２７ｄ、２７ｄを支点として回動されて開放され、バリアカバー２７の光透過孔２７ａが開かれる。バリア駆動リング２３はバネ部材５８、５８によって開閉羽根ユニット５６、５６を開放する回転方向へ付勢されているため、回転された方向における回転端まで確実に回転される。
【０１１０】
一方、開閉羽根ユニット５６、５６が開放された状態において、バリア駆動リング２３が逆方向に回転されると、被押圧突部２３ｃ、２３ｃに対する連結面１８ｂ、１８ｂによる押圧が解除され、第１のバリア羽根２４、２４と第２のバリア羽根２５、２５と第３のバリア羽根２６、２６に対する第１のカム突部２３ｄ、２３ｄと第２のカム突部２３ｅ、２３ｅと第３のカム突部２３ｆ、２３ｆによる押圧が解除される。
【０１１１】
第１のバリア羽根２４、２４と第２のバリア羽根２５、２５と第３のバリア羽根２６、２６に対する第１のカム突部２３ｄ、２３ｄと第２のカム突部２３ｅ、２３ｅと第３のカム突部２３ｆ、２３ｆによる押圧が解除されることにより、第１のバリア羽根２４、２４が付勢バネ５７、５７の付勢力によって閉塞する方向へ回動される。第１のバリア羽根２４、２４が閉塞する方向へ回動されると、第２のバリア羽根２５、２５の被押圧片２５ｂ、２５ｂと第３のバリア羽根２６、２６の被押圧片２６ｂ、２６ｂがそれぞれ第１のバリア羽根２４、２４の各端縁によって閉塞する方向へ押圧され、第１のバリア羽根２４、２４と第２のバリア羽根２５、２５と第３のバリア羽根２６、２６が閉塞され、バリアカバー２７の光透過孔２７ａが閉じられる。第１のバリア羽根２４、２４は付勢バネ５７、５７によって閉塞する方向へ付勢されているため、第２のバリア羽根２５、２５と第３のバリア羽根２６、２６とともに閉塞する位置まで確実に回動される。
【０１１２】
レンズ鏡筒３が装置本体２に収納された沈胴状態においては開閉羽根ユニット５６、５６が閉塞されて第１レンズ群４５が開閉羽根ユニット５６、５６によって前方から覆われている（図１及び図５参照）。レンズ鏡筒３が繰り出されると、開閉羽根ユニット５６、５６が開放されて第１レンズ群４５が露出され被写体の撮影が可能な状態とされる（図２、図６及び図７参照）。開閉羽根ユニット５６、５６が開放されることにより、これらの内側に光入射孔５６ａが形成され、バリアカバー２７の光透過孔２７ａと光入射孔５６ａから第１レンズ群４５を介してレンズ鏡筒３の内部に光（撮影光）が入射される。
【０１１３】
［レンズ鏡筒のズーミング時における動作］
以下に、レンズ鏡筒３のズーミング時における各部の動作について説明する（図１４乃至図１６参照）。
【０１１４】
上記のように構成されたレンズ鏡筒３は沈胴状態（図１４参照）と撮影状態（図１５及び図１６参照）の間で伸縮するように動作される。
【０１１５】
沈胴状態において駆動モーター３９の駆動力によって回転環１４が光軸回り方向へ回転されると、回転環１４はカム変位突部１４ａ、１４ａ、１４ａがそれぞれ固定環１３のカム変位溝１３ａ、１３ａ、１３ａに摺動されて固定環１３に対して光軸方向（前方）へ移動される（図１５参照）。
【０１１６】
回転環１４が駆動モーター３９の駆動力によって光軸回り方向へ回転されると共に光軸方向へ移動されると、沈胴状態から撮影状態における広角端へ向けて各部が以下のように動作される。
【０１１７】
直進カム環１５は回転環１４の光軸方向への移動によって被案内突部１５ａ、１５ａ、１５ａがそれぞれ固定環１３の直進案内溝１３ｂ、１３ｂ、１３ｂに案内されて回転環１４と一体になって固定環１３に対して光軸方向へ移動される。
【０１１８】
カム環１９は回転環１４と一体になって光軸回り方向へ回転されると共にカム摺動突部１９ａ、１９ａ、１９ａがそれぞれ直進カム環１５のカム摺動挿通孔１５ｃ、１５ｃ、１５ｃと回転環１４の直進ガイド溝１４ｃ、１４ｃ、１４ｃに摺動されて回転環１４及び直進カム環１５に対して光軸方向へ移動される。
【０１１９】
直進環１６は被誘導突部１６ａ、１６ａ、１６ａがそれぞれ直進カム環１５の直進誘導溝１５ｄ、１５ｄ、１５ｄに案内されてカム環１９と一体になって直進カム環１５に対して光軸方向へ移動される。
【０１２０】
１群保持枠１８はカム環１９の回転によってカム溝４３、４３、４３にそれぞれカム環１９のカムフォロア１９ｃ、１９ｃ、１９ｃが摺動又は係合されると共にカム突部１８ａ、１８ａ、１８ａがそれぞれ直進環１６におけるカム係合溝４１、４１、４１の第１の回転規制部４１ａ、４１ａ、４１ａ又は回転許容部４１ｂ、４１ｂ、４１ｂに案内されてカム環１９及び直進環１６に対して光軸方向へ移動され又は直進環１６に対して光軸回り方向へ回転される。
【０１２１】
バリア支持枠１７は１群保持枠１８と一体になって光軸方向へ移動され、続いて、１群保持枠１８の回転によってカムピン１７ｂ、１７ｂ、１７ｂがそれぞれ１群保持枠１８のカム摺動溝４２、４２、４２の傾斜部４２ｂ、４２ｂ、４２ｂに摺動されると共に被案内突部１７ａ、１７ａ、１７ａがそれぞれ直進環１６の案内溝１６ｂ、１６ｂ、１６ｂに案内されて１群保持枠１８に対して光軸方向へ移動される。
【０１２２】
直進案内環２０はカム環１９の回転によってガイド突部２０ａ、２０ａ、２０ａがそれぞれカム環１９のカム作動溝１９ｄ、１９ｄ、１９ｄに摺動されると共に摺動被規制突部２０ｂ、２０ｂ、２０ｂがそれぞれ直進カム環１５の直進案内溝１５ｅ、１５ｅ、１５ｅに案内されてカム環１９及び直進カム環１５に対して光軸方向へ移動される。
【０１２３】
２群保持枠２１はカム環１９の回転によってカム作用突部２１ａ、２１ａ、２１ａがそれぞれカム環１９のカム動作溝１９ｅ、１９ｅ、１９ｅに摺動されると共に摺動アーム部４９、４９、４９がそれぞれそれぞれ直進案内環２０の第１の案内孔２０ｃ、２０ｃ、２０ｃに案内されてカム環１９及び直進案内環２０に対して光軸方向へ移動される。
【０１２４】
３群保持枠２２はカム環１９の回転によってカム駆動突部２２ａ、２２ａ、・・・がそれぞれ回転環１４のカムガイド溝１４ｅ、１４ｅ、・・・に摺動されると共に案内突部２２ｂ、２２ｂ、２２ｂがそれぞれ直進案内環２０の第２の案内孔２０ｄ、２０ｄ、２０ｄに案内されてカム環１９及び直進案内環２０に対して光軸方向へ移動される。
【０１２５】
上記のように１群保持枠１８と２群保持枠２１と３群保持枠２２がそれぞれ光軸方向へ移動されるため、１群保持枠１８と２群保持枠２１と３群保持枠２２にそれぞれ保持された第１レンズ群４５と第２レンズ群５０と第３レンズ群５５がそれぞれ光軸方向へ移動されて沈胴状態（図１４参照）から撮影状態における広角端（図１５参照）までズーミングが行われる。
【０１２６】
沈胴状態から撮影状態における広角端までズーミングが行われるときには、１群保持枠１８の回転によってバリア駆動リング２３の被押圧突部２３ｃ、２３ｃが１群保持枠１８の連結面１８ｂ、１８ｂによって光軸回り方向へ押圧され、開閉羽根ユニット５６、５６が開放されてバリアカバー２７の光透過孔２７ａが開かれる。従って、撮像装置１は撮影が可能な状態にされる。
【０１２７】
撮影状態における広角端から望遠端までズーミングが行われる場合には、駆動モーター３９が沈胴状態から撮影状態における広角端までズーミングが行われる場合の回転方向と同じ方向へ回転される。
【０１２８】
広角端において駆動モーター３９の駆動力によって回転環１４の光軸回り方向への回転が開始されるときには、回転環１４はカム変位突部１４ａ、１４ａ、１４ａがそれぞれ固定環１３のカム変位溝１３ａ、１３ａ、１３ａの前端部に位置されている。従って、駆動モーター３９の駆動力によって回転環１４はカム変位突部１４ａ、１４ａ、１４ａがそれぞれ固定環１３の移動規制溝１３ｃ、１３ｃ、１３ｃに摺動されて固定環１３に対して光軸回り方向へ回転され光軸方向へは移動されない（図１６参照）。
【０１２９】
回転環１４が駆動モーター３９の駆動力によって光軸回り方向へ回転されると、撮影状態における広角端から望遠端へ向けて各部が以下のように動作される。
【０１３０】
直進カム環１５は回転環１４が光軸回り方向へ回転されたときには、被案内突部１５ａ、１５ａ、１５ａがそれぞれ固定環１３の移動規制溝１３ｃ、１３ｃ、１３ｃに摺動される。従って、直進カム環１５は回転体１４に対して光軸方向への移動が規制されるため、固定環１３に対して光軸方向へ移動されない。
【０１３１】
カム環１９は回転環１４と一体になって光軸回り方向へ回転されると共にカム摺動突部１９ａ、１９ａ、１９ａがそれぞれ直進カム環１５のカム摺動挿通孔１５ｃ、１５ｃ、１５ｃと回転環１４の直進ガイド溝１４ｃ、１４ｃ、１４ｃに摺動されて回転環１４及び直進カム環１５に対して光軸方向へ移動される。
【０１３２】
直進環１６は被誘導突部１６ａ、１６ａ、１６ａがそれぞれ直進カム環１５の直進誘導溝１５ｄ、１５ｄ、１５ｄに案内されてカム環１９と一体になって直進カム環１５に対して光軸方向へ移動される。
【０１３３】
１群保持枠１８はカム環１９の回転によってカム溝４３、４３、４３にそれぞれカム環１９のカムフォロア１９ｃ、１９ｃ、１９ｃが摺動されると共にカム突部１８ａ、１８ａ、１８ａがそれぞれ直進環１６におけるカム係合溝４１、４１、４１の第２の回転規制部４１ｃ、４１ｃ、４１ｃに案内されてカム環１９及び直進環１６に対して光軸方向へ移動される。
【０１３４】
バリア支持枠１７はカムピン１７ｂ、１７ｂ、１７ｂがそれぞれ１群保持枠１８におけるカム摺動溝４２、４２、４２の後側直線部４２ｃ、４２ｃ、４２ｃに係合されており被案内突部１７ａ、１７ａ、１７ａがそれぞれ直進環１６の案内溝１６ｂ、１６ｂ、１６ｂに案内されて１群保持枠１８と一体になって直進環１６に対して光軸方向へ移動される。
【０１３５】
直進案内環２０はカム環１９の回転によってガイド突部２０ａ、２０ａ、２０ａがそれぞれカム環１９のカム作動溝１９ｄ、１９ｄ、１９ｄに摺動されると共に摺動被規制突部２０ｂ、２０ｂ、２０ｂがそれぞれ直進カム環１５の直進案内溝１５ｅ、１５ｅ、１５ｅに案内されて直進カム環１５に対してカム環１９と一体になって光軸方向へ移動される。
【０１３６】
２群保持枠２１はカム環１９の回転によってカム作用突部２１ａ、２１ａ、２１ａがそれぞれカム環１９のカム動作溝１９ｅ、１９ｅ、１９ｅに摺動されると共に摺動アーム部４９、４９、４９がそれぞれ直進案内環２０の第１の案内孔２０ｃ、２０ｃ、２０ｃに案内されてカム環１９及び直進案内環２０に対して光軸方向へ移動される。
【０１３７】
３群保持枠２２はカム環１９の回転によってカム駆動突部２２ａ、２２ａ、・・・がそれぞれ回転環１４のカムガイド溝１４ｅ、１４ｅ、・・・に摺動されると共に案内突部２２ｂ、２２ｂ、２２ｂがそれぞれ直進案内環２０の第２の案内孔２０ｄ、２０ｄ、２０ｄに案内されてカム環１９及び直進案内環２０に対して光軸方向へ移動される。
【０１３８】
上記のように１群保持枠１８と２群保持枠２１と３群保持枠２２がそれぞれ光軸方向へ移動されるため、１群保持枠１８と２群保持枠２１と３群保持枠２２にそれぞれ保持された第１レンズ群４５と第２レンズ群５０と第３レンズ群５５がそれぞれ光軸方向へ移動されて撮影状態における広角端（図１５参照）から撮影状態における望遠端（図１６参照）までズーミングが行われる。
【０１３９】
撮影状態における広角端から撮影状態における望遠端までズーミングが行われるときには、バリア駆動リング２３の被押圧突部２３ｃ、２３ｃがそれぞれ１群保持枠１８の連結面１８ｂ、１８ｂによって光軸回り方向へ押圧された状態が維持され、開閉羽根ユニット５６、５６が開放されてバリアカバー２７の光透過孔２７ａが開かれている。従って、撮像装置１は撮影が可能な状態にされている。
【０１４０】
尚、撮影状態における望遠端から撮影状態における広角端までズーミングが行われるときの各部の動作と撮影状態における広角端から沈胴状態までズーミングが行われるときの各部の動作は、駆動モーター３９が上記とは反対方向へ回転されて行われ、それぞれ上記した動作と反対の動作であるため、説明は省略する。
【０１４１】
［開閉羽根ユニットの開閉時における動作］
以下に、開閉羽根ユニット５６、５６の開閉時における各部の動作について説明する（図１７乃至図２６参照）。
【０１４２】
先ず、開閉羽根ユニット５６、５６の開放前の状態（沈胴状態）における各部の状態について説明する（図１７参照）。
【０１４３】
直進環１６は後方の移動端に保持されている。
【０１４４】
バリア支持枠１７は直進環１６に対する後方の移動端に保持されている。バリア支持枠１７は、被案内突部１７ａが直進環１６における案内溝１６ｂの後端部に係合され、カムピン１７ｂが１群保持枠１８におけるカム摺動溝４２の前側直線部４２ａに係合されている。
【０１４５】
１群保持枠１８は直進環１６に対する後方の移動端に保持され、カム突部１８ａが直進環１６におけるカム係合溝４１の第１の回転規制部４１ａに係合されている。
【０１４６】
カム環１９は１群保持枠１８に対する前方の移動端に保持され、カムフォロア１９ｃが１群保持枠１８におけるカム溝４３の第１の水平部４３ａに係合されている。
【０１４７】
バリア駆動リング２３は一方の回転端に保持されて開閉羽根ユニット５６、５６が閉塞され、バリアカバー２７の光透過孔２７ａが閉じられている。バリア駆動リング２３は被押圧突部２３ｃが１群保持枠１８の連結面１８ｂと離隔して位置されている。
【０１４８】
上記した開閉羽根ユニット５６の開放前の状態において駆動モーター３９の駆動力によって回転環１４が光軸回り方向へ回転されると、カム環１９の回転が開始される（図１８参照）。カム環１９は１群保持枠１８に対して回転され、カムフォロア１９ｃが１群保持枠１８におけるカム溝４３の第１の水平部４３ａを摺動される。
【０１４９】
引き続きカム環１９が回転されると、カムフォロア１９ｃが１群保持枠１８におけるカム溝４３の第１の水平部４３ａから第１の斜行部４３ｂを摺動される（図１９参照）。カムフォロア１９ｃが第１の水平部４３ａから第１の斜行部４３ｂを摺動されることにより、１群保持枠１８がカム環１９に対して前方へ移動され、カム突部１８ａが直進環１６におけるカム係合溝４１の第１の回転規制部４１ａの前端部まで摺動される。このときバリア支持枠１７は１群保持枠１８と一体になって前方へ移動され、被案内突部１７ａが直進環１６における案内溝１６ｂを前方へ向けて摺動される。
【０１５０】
さらにカム環１９が回転されるときには、カム突部１８ａが直進環１６におけるカム係合溝４１の第１の回転規制部４１ａの前端部に係合されているため１群保持枠１８の前方への移動が規制されている。従って、さらにカム環１９が回転されると、１群保持枠１８とカム環１９が一体になって直進環１６に対して回転され、カム突部１８ａが直進環１６におけるカム係合溝４１の回転許容部４１ｂを摺動され、カムフォロア１９ｃは１群保持枠１８のカム溝４３を摺動されない（図２０参照）。バリア支持枠１７は直進環１６によって回転が規制されているため、１群保持枠１８の回転によってカムピン１７ｂが１群保持枠１８におけるカム摺動溝４２の前側直線部４２ａを相対的に摺動される。
【０１５１】
１群保持枠１８は連結面１８ｂがバリア駆動リング２３の被押圧突部２３ｃに接触して連結される。
【０１５２】
引き続いてカム環１９は１群保持枠１８と一体になって直進環１６に対して回転され、カム突部１８ａが直進環１６におけるカム係合溝４１の回転許容部４１ｂを摺動され、カムフォロア１９ｃは１群保持枠１８のカム溝４３を摺動されない（図２１参照）。バリア支持枠１７は直進環１６によって回転が規制されているため、１群保持枠１８の回転によってカムピン１７ｂが１群保持枠１８におけるカム摺動溝４２の前側直線部４２ａを相対的に摺動される。
【０１５３】
１群保持枠１８はさらに回転されるため、バリア駆動リング２３の被押圧突部２３ｃが連結面１８ｂによって押圧され、バリア駆動リング２３が回転されて開閉羽根ユニット５６、５６が開放される。
【０１５４】
さらにカム環１９は１群保持枠１８と一体になって直進環１６に対して回転され、カム突部１８ａが直進環１６におけるカム係合溝４１の回転許容部４１ｂを摺動され、カムフォロア１９ｃは１群保持枠１８のカム溝４３を摺動されない（図２２参照）。バリア支持枠１７は１群保持枠１８の回転によってカムピン１７ｂが１群保持枠１８におけるカム摺動溝４２の前側直線部４２ａから傾斜部４２ｂを相対的に摺動される。従って、バリア支持枠１７は被案内突部１７ａが直進環１６における案内溝１６ｂを後方へ向けて摺動され、バリア駆動リング２３、開閉羽根ユニット５６、５６及びバリアカバー２７と一体になって後方へ移動されていく。これにより１群保持枠１８はバリア支持枠１７に対して相対的に前方へ移動されることになり、バリア支持枠１７と１群保持枠１８が接近されていく。開閉羽根ユニット５６、５６が後方へ移動されることにより、１群保持枠１８に保持されている第１レンズ群４５は開閉羽根ユニット５６、５６の光入射孔５６ａに挿入されていく。
【０１５５】
引き続きカム環１９は１群保持枠１８と一体になって直進環１６に対して回転され、カム突部１８ａが直進環１６におけるカム係合溝４１の回転許容部４１ｂから第２の回転規制部４１ｃの後端部まで摺動され、カムフォロア１９ｃは１群保持枠１８のカム溝４３を摺動されない（図２３参照）。バリア支持枠１７は１群保持枠１８の回転によってカムピン１７ｂが１群保持枠１８におけるカム摺動溝４２の傾斜部４２ｂから後側直線部４２ｃまで相対的に摺動される。従って、バリア支持枠１７は被案内突部１７ａが直進環１６における案内溝１６ｂを後方へ向けて摺動され、バリア駆動リング２３、開閉羽根ユニット５６、５６及びバリアカバー２７と一体になって後方へ移動されていく。これにより１群保持枠１８はバリア支持枠１７に対してさらに相対的に前方へ移動されることになり、バリア支持枠１７と１群保持枠１８がさらに接近されていく。開閉羽根ユニット５６、５６が後方へ移動されることにより、１群保持枠１８に保持されている第１レンズ群４５は開閉羽根ユニット５６、５６の光入射孔５６ａからバリアカバー２７の透過孔２７ａに挿入され、１群保持枠１８と開閉羽根ユニット５６、５６が最も接近した状態にされる。
【０１５６】
カム環１９がさらに回転されるときには、カム突部１８ａが直進環１６におけるカム係合溝４１の第２の回転規制部４１ｃに係合されているため、１群保持枠１８の直進環１６に対する回転が規制されている。従って、カム環１９がさらに回転されると、カム環１９はカムフォロア１９ｃが１群保持枠１８におけるカム溝４３の第１の斜行部４３ｂから第２の水平部４３ｃまで摺動される（図２４参照）。１群保持枠１８はカム環１９及び直進環１６に対して前方へ移動され、カム突部１８ａが直進環１６におけるカム係合溝４１の第２の回転規制部４１ｃを前方へ向けて摺動される。バリア支持枠１７は１群保持枠１８と一体になって直進環１６に対して前方へ移動され、被案内突部１７ａが直進環１６における案内溝１６ｂを前方へ向けて摺動されていく。バリア支持枠１７はバリア駆動リング２３、開閉羽根ユニット５６、５６及びバリアカバー２７と一体になって移動されていく。
【０１５７】
上記のように、カム環１９のカムフォロア１９ｃが１群保持枠１８におけるカム溝４３の第２の水平部４３ｃまで摺動されることにより、撮影状態における広角端にされる。
【０１５８】
広角端においては、１群保持枠１８に保持されている第１レンズ群４５が開閉羽根ユニット５６、５６の光入射孔５６ａに挿入されている。このとき第１レンズ群４５には光線Ａ、Ａ、・・・が光軸に対して外側へ傾斜する斜め方向からも入射されるが、第１レンズ群４５が開閉羽根ユニット５６、５６の光入射孔５６ａに挿入されているため、第１レンズ群４５における光線Ａ、Ａ、・・・の入射可能な領域が大きく、第１レンズ群４５に対する光線Ａ、Ａ、・・・の入射効率が高くされている。
【０１５９】
従って、第１レンズ群４５に対する光線Ａ、Ａ、・・・の入射効率が高い分、開閉羽根ユニット５６、５６の外形を小さくすることが可能にされている。
【０１６０】
カム環１９がさらに回転されると、カム環１９はカムフォロア１９ｃが１群保持枠１８におけるカム溝４３の第２の水平部４３ｃから第２の斜行部４３ｄを摺動される（図２５参照）。１群保持枠１８はカム環１９及び直進環１６に対してさらに前方へ移動され、カム突部１８ａが直進環１６におけるカム係合溝４１の第２の回転規制部４１ｃをさらに前方へ向けて摺動される。バリア支持枠１７は１群保持枠１８と一体になって直進環１６に対してさらに前方へ移動され、被案内突部１７ａが直進環１６における案内溝１６ｂをさらに前方へ向けて摺動されていく。バリア支持枠１７はバリア駆動リング２３、開閉羽根ユニット５６、５６及びバリアカバー２７と一体になって移動されていく。
【０１６１】
さらにカム環１９が回転されると、カム環１９はカムフォロア１９ｃが１群保持枠１８におけるカム溝４３の第２の斜行部４３ｄから第３の水平部４３ｅまで摺動される（図２６参照）。１群保持枠１８はカム環１９及び直進環１６に対してさらに前方へ移動され、カム突部１８ａが直進環１６におけるカム係合溝４１の第２の回転規制部４１ｃをさらに前方へ向けて摺動される。バリア支持枠１７は１群保持枠１８と一体になって直進環１６に対してさらに前方へ移動され、被案内突部１７ａが直進環１６における案内溝１６ｂをさらに前方へ向けて摺動されていく。バリア支持枠１７はバリア駆動リング２３、開閉羽根ユニット５６、５６及びバリアカバー２７と一体になって移動されていく。
【０１６２】
上記のように、カム環１９のカムフォロア１９ｃが１群保持枠１８におけるカム溝４３の第３の水平部４３ｅまで摺動されることにより、撮影状態における望遠端にされる。
【０１６３】
広角端から望遠端までの撮影状態においても、広角端と同様に、１群保持枠１８に保持されている第１レンズ群４５が開閉羽根ユニット５６、５６の光入射孔５６ａに挿入されている。従って、第１レンズ群４５における光線Ａ、Ａ、・・・の入射可能な領域が大きく、第１レンズ群４５に対する光線Ａ、Ａ、・・・の入射効率が高いため、開閉羽根ユニット５６、５６の光入射孔５６ａの大きさが小さくて済み、開閉羽根ユニット５６、５６の外形を小さくすることが可能にされている。
【０１６４】
尚、撮影状態における望遠端から沈胴状態までの開閉羽根ユニット５６、５６の開閉時における各部の動作は、駆動モーター３９が上記とは反対方向へ回転されて行われ、それぞれ上記した動作と反対の動作であるため、説明は省略する。
【０１６５】
［変形例］
以下に、各変形例について説明する。
【０１６６】
上記には、カム溝４３が形成された１群保持枠１８とカムフォロア１９ｃが設けられたカム環１９とを例として示したが、逆に、図示はしないが、１群保持枠１８にカムフォロアが設けられカム環１９にカム溝が形成され、１群保持枠１８のカムフォロアがカム環１９のカム溝に摺動自在に係合されていてもよい。
【０１６７】
また、上記には、カムピン１７ｂが設けられたバリア支持枠１７とカム摺動溝４２が形成された１群保持枠１８とを例として示したが、逆に、図示はしないが、バリア支持枠１７にカム摺動溝が形成され１群保持枠１８にカムピンが設けられ、１群保持枠１８のカムピンがバリア支持枠１７のカム摺動溝に摺動自在に係合されていてもよい。
【０１６８】
さらに、上記には、直進環１６のカム係合溝４１に光軸回り方向へ延びる回転許容部４１ｂが形成された例を示したが、例えば、回転許容部４１ｂが光軸回り方向へ行くに従って前後方向へ変位するように傾斜されていてもよい（図２７参照）。この場合には、１群保持枠１８のカム突部１８ａがカム係合溝４１の回転許容部４１ｂを摺動されるときに、カム環１９のカムフォロア１９ｃが１群保持枠１８におけるカム溝４３の第１の斜行部４３ｂを摺動される。
【０１６９】
［その他］
上記には、１群保持枠１８と２群保持枠２１と３群保持枠２２にそれぞれ第１レンズ群４５と第２レンズ群５０と第３レンズ群５５が保持された例を示したが、１群保持枠１８と２群保持枠２１と３群保持枠２２にそれぞれレンズ群が保持される構成に限られることはなく、１群保持枠１８と２群保持枠２１と３群保持枠２２には開口絞り等の遮光等を目的とした他の光学素子が保持されていてもよい。
【０１７０】
また、レンズ鏡筒３におけるレンズ群の構成はフォーカスレンズ４０を含めた４群構成に限られることはなく、任意の数の群構成にすることが可能である。この場合には、上記のように第１の外筒２８と第２の外筒２９と第３の外筒３０の三段構成のレンズ鏡筒３に限られることはなく、保持されるレンズ群等に応じた４段や５段等の任意の段数の構成にすることが可能である。
【０１７１】
［撮像装置の一実施形態］
図２８に、本技術撮像装置の一実施形態によるスチルカメラ（デジタルスチルカメラ）のブロック図を示す。
【０１７２】
撮像装置（デジタルスチルカメラ）１００（撮像装置１）は、撮像機能を担うカメラブロック７０と、撮影された画像信号のアナログ−デジタル変換等の信号処理を行うカメラ信号処理部７１と、画像信号の記録再生処理を行う画像処理部７２とを有している。また、撮像装置１００は、撮影された画像等を表示するＬＣＤ（Liquid Crystal Display）等の表示部７３と、メモリーカード１０００への画像信号の書込及び読出を行うＲ／Ｗ（リーダ／ライタ）７４と、撮像装置１００の全体を制御するＣＰＵ（Central Processing Unit）７５と、ユーザーによって所要の操作が行われる各種のスイッチ等から成る入力部７６と、カメラブロック７０に配置されたレンズの駆動を制御するレンズ駆動制御部７７とを備えている。
【０１７３】
カメラブロック７０は、レンズ群７８を含む光学系や、ＣＣＤ（Charge Coupled Device）やＣＭＯＳ（Complementary Metal-Oxide Semiconductor）等の撮像素子７９等とによって構成されている。
【０１７４】
カメラ信号処理部７１は、撮像素子７９からの出力信号に対するデジタル信号への変換、ノイズ除去、画質補正、輝度・色差信号への変換等の各種の信号処理を行う。
【０１７５】
画像処理部７２は、所定の画像データーフォーマットに基づく画像信号の圧縮符号化・伸張復号化処理や解像度等のデーター仕様の変換処理等を行う。
【０１７６】
表示部７３はユーザーの入力部７６に対する操作状態や撮影した画像等の各種のデーターを表示する機能を有している。
【０１７７】
Ｒ／Ｗ７４は、画像処理部７２によって符号化された画像データーのメモリーカード１０００への書込及びメモリーカード１０００に記録された画像データーの読出を行う。
【０１７８】
ＣＰＵ７５は、撮像装置１００に設けられた各回路ブロックを制御する制御処理部として機能し、入力部７６からの指示入力信号等に基づいて各回路ブロックを制御する。
【０１７９】
入力部７６は、例えば、シャッター操作を行うためのシャッターレリーズボタンや、動作モードを選択するための選択スイッチ等によって構成され、ユーザーによる操作に応じた指示入力信号をＣＰＵ７５に対して出力する。
【０１８０】
レンズ駆動制御部７７は、ＣＰＵ７５からの制御信号に基づいてレンズ群７８の各レンズを駆動する図示しないモータ等を制御する。
【０１８１】
メモリーカード１０００は、例えば、Ｒ／Ｗ７４に接続されたスロットに対して着脱可能な半導体メモリーである。
【０１８２】
以下に、撮像装置１００における動作を説明する。
【０１８３】
撮影の待機状態では、ＣＰＵ７５による制御の下で、カメラブロック７０において撮影された画像信号が、カメラ信号処理部７１を介して表示部７３に出力され、カメラスルー画像として表示される。また、入力部７６からのズーミングのための指示入力信号が入力されると、ＣＰＵ７５がレンズ駆動制御部７７に制御信号を出力し、レンズ駆動制御部７７の制御に基づいてレンズ群７８の所定のレンズが移動される。
【０１８４】
入力部７６からの指示入力信号によりカメラブロック７０の図示しないシャッターが動作されると、撮影された画像信号がカメラ信号処理部７１から画像処理部７２に出力されて圧縮符号化処理され、所定のデーターフォーマットのデジタルデーターに変換される。変換されたデーターはＲ／Ｗ７４に出力され、メモリーカード１０００に書き込まれる。
【０１８５】
フォーカシングは、例えば、入力部７６のシャッターレリーズボタンが半押しされた場合や記録（撮影）のために全押しされた場合等に、ＣＰＵ７５からの制御信号に基づいてレンズ駆動制御部７７がレンズ群７８の所定のレンズを移動させることにより行われる。
【０１８６】
メモリーカード１０００に記録された画像データーを再生する場合には、入力部７６に対する操作に応じて、Ｒ／Ｗ７４によってメモリーカード１０００から所定の画像データーが読み出され、画像処理部７２によって伸張復号化処理が行われた後、再生画像信号が表示部７３に出力されて再生画像が表示される。
【０１８７】
［まとめ］
以上に記載した通り、レンズ鏡筒３にあっては、沈胴状態と撮影状態の間の一部の区間において第１レンズ群４５を保持する１群保持枠１８が直進環１６に光軸回り方向へ回転自在に支持され、沈胴状態から撮影状態に至る過程において、１群保持枠１８とバリア支持枠１７が光軸方向において接近するように相対的に移動される。
【０１８８】
このようにレンズ鏡筒３にあっては、第１レンズ群４５が１群保持枠１８に保持されている構造において、バリア支持枠１７と１群保持枠１８が接近する構成にされており、レンズ鏡筒３の全体に対する第１レンズ群４５の位置精度が高い。
【０１８９】
また、上記したように、広角端から望遠端までの撮影状態において、バリア支持枠１７と１群保持枠１８が接近され、第１レンズ群４５に対する光線の入射効率が高いため、開閉羽根ユニット５６、５６の光入射孔５６ａの大きさが小さくて済み、開閉羽根ユニット５６、５６の外形を小さくすることが可能にされている。
【０１９０】
従って、レンズ鏡筒３にあっては、第１レンズ群４５の高い位置精度を確保した上で撮影光学系に対する十分な光量の入射を確保することができると共にレンズ鏡筒３の小型化を図ることができる。
【０１９１】
また、レンズ鏡筒３にあっては、光軸回り方向へ回転されて開閉羽根ユニット５６、５６を開閉させるバリア駆動リング２３が設けられ、１群保持枠１８がバリア支持枠１７に対して光軸回り方向へ回転されてバリア駆動リング２３の被押圧突部２３ｃ、２３ｃがそれぞれ１群保持枠１８の連結面１８ｂ、１８ｂに連結されて光軸回り方向へ回転される。
【０１９２】
従って、バリア駆動リング２３が、その近傍に位置された１群保持枠１８に連結されて回転され開閉羽根ユニット５６、５６が動作されるため、バリア駆動リング２３の回転位置における精度が高く、開閉羽根ユニット５６、５６の安定した動作状態を確保することができる。
【０１９３】
さらに、レンズ鏡筒３にあっては、沈胴状態において開閉羽根ユニット５６、５６が閉塞されると共に第１レンズ群４５が開閉羽根ユニット５６、５６より撮像面側に位置され、撮影状態において開閉羽根ユニット５６、５６が開放されて光入射孔５６ａが形成されると共に第１レンズ群４５の少なくとも一部が光入射孔５６ａに挿入される。
【０１９４】
従って、第１レンズ群４５に対する光線の入射効率が高くなり、その分、開閉羽根ユニット５６、５６によって形成される開口を小さくすることができ、レンズ鏡筒３の径方向における一層の小型化を図ることができる。
【０１９５】
さらにまた、直進環１６のカム係合溝４１は光軸方向へ延びる第１の回転規制部４１ａと光軸回り方向へ延びる回転許容部４１ｂと光軸方向へ延びる第２の回転規制部４１ｃとが順に連続してクランク状に形成され、１群保持枠１８のカム突部１８ａが一部の区間において回転許容部４１ｂに摺動される。
【０１９６】
従って、カム係合溝４１を容易に形成することができると共に簡素な構成によって１群保持枠１８の動作の適正化を図ることができる。
【０１９７】
［本技術］
本技術は、以下のような構成にすることもできる。
【０１９８】
（１）
光路長が最短にされた沈胴状態と前記沈胴状態より光路長が長くされた撮影状態との間で伸縮可能とされ、
撮影光学系の光軸方向へ移動可能とされたバリア支持枠と、
光軸方向に直交する方向において前記バリア支持枠に対して移動されて開閉されるバリア羽根と、
前記撮影光学系の一部を構成する第１レンズ群を保持する１群保持枠と、
光軸回り方向へ回転されるカム環と、
前記バリア支持枠を光軸回り方向へ回転不能かつ光軸方向へ移動可能に支持する直進環とを備え、
前記カム環と前記１群保持枠は一方にカムフォロアが設けられ他方に前記カムフォロアが摺動自在に係合されるカム溝が形成され、
前記１群保持枠は前記カム溝に対する前記カムフォロアの係合位置に応じて前記カム環の光軸回り方向への回転によって光軸方向へ移動又は光軸回り方向へ回転され、
前記バリア支持枠と前記１群保持枠は一方にカムピンが設けられ他方に前記カムピンが摺動自在に係合されるカム摺動溝が形成され、
前記バリア支持枠は前記カム摺動溝に対する前記カムピンの係合位置に応じて前記１群保持枠の光軸方向への移動又は光軸回り方向への回転によって光軸方向へ移動され、
前記撮影状態において前記１群保持枠が前記直進環に光軸回り方向へ回転不能かつ光軸方向へ移動自在に支持され、
前記沈胴状態と前記撮影状態の間の一部の区間において前記１群保持枠が前記直進環に光軸回り方向へ回転自在に支持され、
前記沈胴状態から前記撮影状態に至る過程において、前記１群保持枠が前記一部の区間において前記カム環の回転によって前記直進環に対して光軸回り方向へ回転されることにより前記１群保持枠と前記バリア支持枠が光軸方向において接近するように相対的に移動される
レンズ鏡筒。
【０１９９】
（２）
光軸回り方向へ回転されて前記バリア羽根を開閉させるバリア駆動リングが設けられ、
前記１群保持枠が前記バリア支持枠に対して光軸回り方向へ回転されて前記バリア駆動リングが前記１群保持枠に連結されて光軸回り方向へ回転される
前記（１）に記載のレンズ鏡筒。
【０２００】
（３）
前記沈胴状態において前記バリア羽根が閉塞されると共に前記第１レンズ群が前記バリア羽根より撮像面側に位置され、
前記撮影状態において前記バリア羽根が開放されて光入射孔が形成されると共に前記第１レンズ群の少なくとも一部が光入射孔に挿入される
前記（１）又は前記（２）に記載のレンズ鏡筒。
【０２０１】
（４）
前記１群保持枠にカム突部が設けられ、
前記直進環に前記カム突部が摺動自在に係合されるカム係合溝が形成され、
前記カム係合溝は光軸方向へ延びる第１の回転規制部と光軸回り方向へ延びる回転許容部と光軸方向へ延びる第２の回転規制部とが順に連続してクランク状に形成され、
前記一部の区間において前記カム突部が前記回転許容部に摺動される
前記（１）から前記（３）の何れかに記載のレンズ鏡筒。
【０２０２】
（５）
内部に撮影光学系が配置されたレンズ鏡筒と前記撮影光学系を介して取り込まれた光学像を電気的信号に変換する撮像素子とを備え、
前記レンズ鏡筒は、
光路長が最短にされた沈胴状態と前記沈胴状態より光路長が長くされた撮影状態との間で伸縮可能とされ、
撮影光学系の光軸方向へ移動可能とされたバリア支持枠と、
光軸方向に直交する方向において前記バリア支持枠に対して移動されて開閉されるバリア羽根と、
前記撮影光学系の一部を構成する第１レンズ群を保持する１群保持枠と、
光軸回り方向へ回転されるカム環と、
前記バリア支持枠を光軸回り方向へ回転不能かつ光軸方向へ移動可能に支持する直進環とを備え、
前記カム環と前記１群保持枠は一方にカムフォロアが設けられ他方に前記カムフォロアが摺動自在に係合されるカム溝が形成され、
前記１群保持枠は前記カム溝に対する前記カムフォロアの係合位置に応じて前記カム環の光軸回り方向への回転によって光軸方向へ移動又は光軸回り方向へ回転され、
前記バリア支持枠と前記１群保持枠は一方にカムピンが設けられ他方に前記カムピンが摺動自在に係合されるカム摺動溝が形成され、
前記バリア支持枠は前記カム摺動溝に対する前記カムピンの係合位置に応じて前記１群保持枠の光軸方向への移動又は光軸回り方向への回転によって光軸方向へ移動され、
前記撮影状態において前記１群保持枠が前記直進環に光軸回り方向へ回転不能かつ光軸方向へ移動自在に支持され、
前記沈胴状態と前記撮影状態の間の一部の区間において前記１群保持枠が前記直進環に光軸回り方向へ回転自在に支持され、
前記沈胴状態から前記撮影状態に至る過程において、前記１群保持枠が前記一部の区間において前記カム環の回転によって前記直進環に対して光軸回り方向へ回転されることにより前記１群保持枠と前記バリア支持枠が光軸方向において接近するように相対的に移動される
撮像装置。
【符号の説明】
【０２０３】
１…撮像装置、３…レンズ鏡筒、３６…撮像素子、１６…直進環、４１…カム係合溝、４１ａ…第１の回転規制部、４１ｂ…回転許容部、４１ｃ…第２の回転規制部、１７…バリア支持枠、１７ｂ…カムピン、１８…１群保持枠、１８ａ…カム突部、４２…カム摺動溝、４３…カム溝、１９…カム環、１９ｃ…カムフォロア、２３…バリア駆動リング、２４…第１のバリア羽根、２５…第２のバリア羽根、２６…第３のバリア羽根、５６ａ…光入射孔、１００…撮像装置、７９…撮像素子
【図１】
2014211532.tif 000003
【図２】
2014211532.tif 000004
【図３】
2014211532.tif 000005
【図４】
2014211532.tif 000006
【図５】
2014211532.tif 000007
【図６】
2014211532.tif 000008
【図７】
2014211532.tif 000009
【図８】
2014211532.tif 000010
【図９】
2014211532.tif 000011
【図１０】
2014211532.tif 000012
【図１１】
2014211532.tif 000013
【図１２】
2014211532.tif 000014
【図１３】
2014211532.tif 000015
【図１４】
2014211532.tif 000016
【図１５】
2014211532.tif 000017
【図１６】
2014211532.tif 000018
【図１７】
2014211532.tif 000019
【図１８】
2014211532.tif 000020
【図１９】
2014211532.tif 000021
【図２０】
2014211532.tif 000022
【図２１】
2014211532.tif 000023
【図２２】
2014211532.tif 000024
【図２３】
2014211532.tif 000025
【図２４】
2014211532.tif 000026
【図２５】
2014211532.tif 000027
【図２６】
2014211532.tif 000028
【図２７】
2014211532.tif 000029
【図２８】
2014211532.tif 000030